(57)【要約】【課題】スライドシートへワイヤハーネスを挿通するスライダの取付が容易に行えるようにする。【解決手段】スライダはハーネスレールとの嵌合部から上向きに突出させた電線引出枠を備え、該電線引出枠の上部側面開口から電線をスライドシート側へ引き出すと共に、該電線引出枠の上端に外形を拡大した係止頭部を設け、スライダの係止頭部に被せる収容部から前記シートレール側へ突出すると共に突出端側に支軸を取り付けた渡り部品と、スライドシートに固定すると共に前記渡り部品の支軸を上方から挿入して回転自在に支承する軸受凹部を備える渡り受け部品を備え、ハーネスレールに摺動自在に嵌合する前記スライダを前記渡り部品と渡り受け部品を介してスライドシートに取り付けている。【選択図】図４
2014227050.tif 000002
【特許請求の範囲】
【請求項１】
スライドシートのシートレールの側面に沿って配置するハーネスレールにスライダを摺動自在に嵌合し、該スライダにスライドシートへの給電用のワイヤハーネスを挿通すると共に該スライダをスライドシートと連結して連動させるスライドシート用のワイヤハーネス配索装置において、
前記スライダは前記ハーネスレールとの嵌合部から上向きに突出させた電線引出枠を備え、該電線引出枠の上部側面開口から電線をスライドシート側へ引き出すと共に、該電線引出枠の上端に外形を拡大した係止頭部を設け、
前記スライダの係止頭部に被せる収容部から前記シートレール側へ突出すると共に突出端側に支軸を取り付けた渡り部品と、
前記スライドシートに固定すると共に前記渡り部品の支軸を上方から挿入して支承する軸受凹部を備える渡り受け部品を備え、
前記ハーネスレールに摺動自在に嵌合する前記スライダを前記渡り部品と渡り受け部品を介して前記スライドシートに取り付けているスライドシート用のワイヤハーネス配索装置。
【請求項２】
前記スライダ、渡り部品及び渡り受け部品はいずれも樹脂成形品とし、
前記スライダに設ける係止頭部は円柱状または球状とする一方、前記渡り部品の収容部は下面に前記係止頭部を挿入できる挿入口をあけ、該収容部を係止頭部に上方から被せて組み付け、かつ、該収容部の内部で前記係止頭部が上下、左右に移動可能とする隙間をあけて固定位置のバラツキを吸収できる構成としている請求項１に記載のスライドシート用のワイヤハーネス配索装置。
【請求項３】
前記渡り部品の支軸を前記軸受凹部で回転自在に支承し、該渡り部品を介して前記スライダと連結する前記渡り受け部品は、スライドシートのシート脚部の側面に予め固定しており、該スライドシートに固定した該渡り受け部品の前記軸受凹部に前記渡り部品の突出端に設けた支軸を上方から落し込む状態で挿入して組みつけている請求項１または請求項２に記載のスライドシート用のワイヤハーネス配索装置。
【発明の詳細な説明】
【技術分野】
【０００１】
本発明はスライドシート用のワイヤハーネス配索構造に関し、特に、自動車に搭載するスライドシートにフロア側から配索するワイヤハーネスを挿通するスライダを容易に取り付けられるようにするものである。
【背景技術】
【０００２】
従来、この種のスライドシート用のワイヤハーネス配索装置を自動車に容易に組み付ける装置として、特開２００６−１６８５８３号公報でスライド装置が提供されている。該装置は図９（Ａ）〜（Ｃ）に示すように、ロアケース１０１Ａと、アッパーケース１０１Ｂと、ロアケース１０１Ａに固定される板金製のレール１０２とからなるレール部品１００をフロアに固定している。図９（Ｃ）に示すように、電線収容部１１０ａにスライドシートへ配線する電線を挿通したスライダ（プロテクタ）１１０の摺動部１１０ｂを前記レール１０２に摺動自在に嵌合している。該スライダ１１０をスライドシート１の移動に連動させるため、図９（Ａ）に示すように、スライドシートのシート１０３にボルトＢでブラケット１０５を固定し、前記スライダ１１０がレール１０２に取り付けると、図９（Ｃ）に示すように、ブラケット１０５の一対の当接壁１０５ａと１０５ｂの間にスライダ１１０の電線収容部１１０ａが位置付けらる。
【０００３】
前記従来の装置では、スライドシートの移動時に、当接壁１０５ａと１０５ｂの一方がスライダ１１０の電線収容部１１０ａを押圧し、これにより、スライダ１１０をブラケット１０５に連結することなくスライドシートの移動に連動させると記載されている。
かつ、電線２００に張力が付与されない隙間をあけてスライダ１１０の電線収容部１１０ａが位置付けられ、前記当接壁１０５ａと１０５ｂの間隔は電線収容部１１０ｂの幅より長くして隙間をあけ、当接していない他方の当接壁と電線収容部１１０ａの間に電線２００を弛んだ状態で配線していると記載されている。
【先行技術文献】
【特許文献】
【０００４】
【特許文献１】特開２００６−１６８５８３号公報
【発明の概要】
【発明が解決しようとする課題】
【０００５】
前記特許文献１のスライド装置では、スライドシートのシート１０３に固定しているブラケット１０５およびスライダ１１０の形状が非常に複雑であるため、コスト高になる。  また、特許文献１の段落００５２に、「ブラケットがシートに取り付けられ、プロテクタ（スライダ）がレール部に取り付けられると、互いの間にプロテクタの電線収容部（１１０ｂ）を位置付ける。」と記載されている。しかしながら、スライダの電線収容部の幅とブラケット１０５の一対の当接壁１０５ａ、１０５ｂの間隔の寸法差が小さく、一方の当接壁との間に電線を弛まず且つ張力をかけないと共に他方の当接壁を電線収容部に押圧するように組みつける必要がある。その上、ブラケットはスライドシートに固定し、スライダはフロアに固定されたレールに取り付けられるため、非常に難作業になると共に、自動車内で作業スペースをとる問題がある。
【０００６】
前記したように、従来の装置は必要部品が複雑な構成であり、かつ、自動車への組付作業が難作業となり非常に手数がかかる等の問題がある。よって、本発明は、必要部品を簡単且つ小型化し、かつ、組付作業を容易として、部品コストおよび作業コストの低下を図ることを課題としている。
【課題を解決するための手段】
【０００７】
前記課題を解決するため、本発明は、
スライドシートのシートレールの側面に沿って配置するハーネスレールにスライダを摺動自在に嵌合し、該スライダにスライドシートへの給電用の電線を挿通すると共に該スライダを前記スライドシートと連結して連動させるスライドシート用のワイヤハーネス配索装置において、    前記スライダは前記ハーネスレールとの嵌合部から上向きに突出させた電線引出枠を備え、該電線引出枠の上部側面開口から電線をスライドシート側へ引き出すと共に、該電線引出枠の上端に外形を拡大した係止頭部を設け、
前記スライダの係止頭部に被せる収容部から前記シートレール側へ突出すると共に突出端側に支軸を取り付けた渡り部品と、
前記スライドシートに固定すると共に前記渡り部品の支軸を上方から挿入して支承する軸受凹部を備える渡り受け部品を備え、
前記ハーネスレールに摺動自在に嵌合する前記スライダを前記渡り部品と渡り受け部品を介してスライドシートに取り付けているスライドシート用のワイヤハーネス配索装置を提供している。
【０００８】
前記スライダ、渡り部品及び渡り受け部品はいずれも樹脂成形品とし、
前記スライダに設ける係止頭部は円柱状または球状とする一方、前記渡り部品の収容部は下面に前記係止頭部を挿入できる挿入口をあけ、該収容部を係止頭部に上方から被せて組み付け、かつ、該収容部の内部で前記係止頭部が上下、左右に移動可能とする隙間をあけて固定位置のバラツキを吸収できる構成としている。
【０００９】
前記渡り部品の支軸を前記渡り受け部品の軸受凹部で回転可能に支承する一方、前記渡り受け部品はスライドシートのシート脚部の側面に予め固定し、該スライドシートに固定した渡り受け部品の軸受凹部に渡り部品の突出端に設けた支軸を上方から落し込むだけで挿入して組みつけできるようにしている。
【発明の効果】
【００１０】
前記のように、本発明のワイヤハーネス配索装置では、スライダに上向に突出させて設けた電線引出枠の上端の係止頭部に渡り部品を被せる一方、スライドシートに渡り受け部品を固定しておき、該渡り受け部品の上面開口の軸受凹部に前記渡り部品の支軸を上方から落し込んで挿入する作業で、スライダをスライドシートに取り付けることができる。このように、スライドシートへのスライダの取付作業を極めて簡単にできる。かつ、簡単な形状で小型な渡り部品と渡り受け部品を必要とするだけであるため、必要部品のコストを低下することができる。
【図面の簡単な説明】
【００１１】
【図１】本発明の実施形態のスライドシートおよびワイヤハーネス配索装置の全体を示す斜視図である。
【図２】前記実施形態のワイヤハーネス配索装置の要部断面図である。
【図３】前記ワイヤハーネス配索装置のハーネスレールと電線余長収容ケースとスライダの組付関係を示し、（Ａ）はスライドシートの前進位置での概略平面図、（Ｂ）はスライドシートの後端位置での概略平面図である。
【図４】前記スライドシートとスライダの連結部を示す斜視図である。
【図５】（Ａ）は図４の要部拡大正面図、（Ｂ）は（Ａ）の右側面図である。
【図６】渡り受け部品をスライドシートのシート脚部に取り付けている状態を示す概略正面図である。
【図７】（Ａ）〜（Ｃ）は前記渡り部品の支軸を渡り受け部品の軸受凹部に嵌合する過程を示す図面である。
【図８】（Ａ）〜（Ｃ）は渡り部品の傾斜状態を示す説明図である。
【図９】（Ａ）〜（Ｃ）は従来例を示す図面である。
【発明を実施するための形態】
【００１２】
以下、本発明の実施形態を図面を参照して説明する。
図１乃至図８に本発明の実施形態を示す。
本実施形態では、図１に示すように、自動車に搭載する助手席側のスライドシート１を４００ｍｍ〜１２００ｍｍ程度スライドできるロングスライドシートとしており、該スライドシート１に装着した電装品（図示せず）に給電するために、フロアからスライドシート１へワイヤハーネス３（図２に示す）を配索している。
【００１３】
スライドシート１の下面には図２に示すように、スライドシート１のシートフレームの下面に左右一対のシート脚部４を設けている。各シート脚部４をフロア床材となるカーペット材５の下方でフロアパネル２上に搭載した左右一対のシートレール６にスライド自在に取り付けている。各シートレール６は図２に示す構造で、シート脚部４の本体４ａから突出した軸部４ｂ−１をシートレール６内に挿入し、軸部４ｂ−１から腕部４ｂ−２を左右に延在させ、腕部４ｂ−２の外面に軸支した車輪４ｂ−３をシートレール６内の側部空間６ａに回動自在に嵌合させている。
【００１４】
図３に示すように、シートレール６の側面に沿って前端から後方に向かって1本の直線状のハーネスレール７を設置すると共に、該ハーネスレール７の前端に連続させて余長収容ケース８を配置し、かつ、該余長収容ケース８の後部をハーネスレール７の側方に配置している。フロアパネル２に配索するフロアハーネスから分岐したワイヤハーネス３の電線群を余長収容ケース８およびハーネスレール７に連続して配線している。該ワイヤハーネス３をハーネスレール７に摺動自在に嵌合するスライダ９に貫通した後、スライドシート１へと配線し、該ワイヤハーネス３をスライドシート１内に配線しているワイヤハーネスとコネクタ接続している。
【００１５】
図２〜図４に示すように、スライダ９はスライドシート1のシート脚部４に渡り部品１０、渡り受け部品２０を介して連結し、スライドシート１の移動に連動させて、ハーネスレール７上を前後移動させている。詳しくはスライダ９に渡り部品１０を被せて取り付ける一方、渡り受け部品２０はシート脚部４に予め固定しておき、該渡り受け部品２０に渡り部品１０を取り付けて、スライダ９をシート脚部４に連結している。前記スライダ９、渡り部品１０及び渡り受け部品２０はいずれも樹脂成形品からなる。
【００１６】
前記ハーネスレール７は前後直線状に延在し、断面ボックス状のハーネス挿通部７ａと、該ハーネス挿通部７ａの上面の一側開口に連通させて突設するスライダ摺動部７ｂを長さ方向全長に備えている。該ハーネスレール７の前端に余長収容ケース８を連続して設置し、該余長収容ケース８内で、ワイヤハーネス３を前進させ、前端で湾曲させた後に後進させ、後方で湾曲させて再度前方へ挿通し、前部側に設けたワイヤハーネス引出口８ａからフロア側に引き出して前記フロアハーネスと接続している。
【００１７】
前記余長収容ケース８およびハーネスレール７のハーネス挿通部７ａに摺動自在に配線するワイヤハーネス３に外装材を取り付けている。外装材として本実施形態では後述する四角筒状のキャタピラ型のプロテクタ３０を用いている。該プロテクタ３０は帯状に連続した長尺材からなる平板を折り曲げて組み立てて形成している。
【００１８】
前記ハーネスレール７のハーネス挿通部７ａ内に摺動自在に嵌合するスライダ９は、そのプロテクタ外嵌部９ａをプロテクタ３０の先端に外嵌して粘着テープで連結している。該プロテクタ外嵌部９ａの一側上面に、スライダ摺動部７ｂに摺動自在に嵌合すると共に上方に突出させる電線引出枠９ｂを突設している。該電線引出枠９ｂの上部側面に電線引出口９ｃを設けている。
【００１９】
また、スライダ９の電線引出枠９ｂの上端に外形を拡大した略円柱形状の係止頭部９ｄを突設している。該係止頭部９ｄは左右両側が楕円形状で、上下面を平面とし、断面形状を所謂小判形状としている。なお、係止頭部９ｄは球状としてもよく、形状は限定されない。
【００２０】
前記スライダ９の係止頭部９ｄに組み付ける渡り部品１０は、係止頭部９ｄより一回り大きくした内周面を有する略円筒状の収容部１０ａと、該収容部１０ａからシートレール６側へ突出する突出部１０ｂと、該突出部１０ｂの突出端側に取り付けた支軸１１とからなる。突出部１０ｂは下面を上向き傾斜させて突出端側に向けて先細り状に突出している。収容部１０ａの下面に係止頭部９ｄを挿入できる挿入口１０ｃを設けている。スライダ９をフロアに固定したハーネスレール７に組みつけた状態で渡り部品１０をスライダ９の上部に取り付けるため、収容部１０ａを上方から係止頭部９ｄに被せ、挿入口１０ｃを通すだけで収容でき、スライダ９に渡り部品１０を簡単に取り付けることができるようにしている。
【００２１】
前記渡り部品１０と連結する渡り受け部品２０は、図４、図６に示すように、スライドシート１のシート脚部４の外面に設けた凹部４ｃに嵌合する凸部２０ａを突出した取付枠部２０ｂと、該取付枠部２０ｂの上部から突出した案内受け部２０ｄと、該案内受け部２０ｄの円弧受面２０ｅの下端に連続した位置に挿入口２０ｆを設けた軸受凹部２０ｈと、軸受凹部２０ｈの後端側に設けた側面受板２０ｉを備えている。軸受凹部２０ｈは挿入口２０ｆに連続する上部の幅広部２０ｈｗとし、下部を細幅部２０ｈｓとしている。上部の広幅部２０ｈｗの寸法は支軸１１の直径より大とし、支軸１１が回転および上下左右移動可としている。細幅部２０ｈｓには上方より押し込んで嵌合し、該嵌合位置では支軸１１は細幅部２０ｈｓ内に固定され、渡り受け部品２０の前後移動に渡り部品１０およびスライダ９が連動するようにしている。
【００２２】
前記渡り受け部品２０に渡り部品１０を組みつける際、図７（Ａ）および図８（Ａ）に示すように、渡り受け部品２０の軸受凹部２０ｈの上方に渡り部品１０の支軸１１を位置させ、支軸１１を案内受け部２０ｄの円弧受面２０ｅに接触させる。その後、円弧受面２０ｅに沿って下方へ滑べらせていくと、図７（Ｂ）に示すように、支軸１１は軸受凹部２０ｈの挿入口２０ｆに達する。支軸１１を軸受凹部２０ｈに落し込み、支軸１１を下向きに押し下げ、図７（Ｃ）に示すように、支軸１１を細幅部２０ｈｓ内に嵌合固定する。このように、渡り部品１０を渡り受け部品２０に簡単に連結でき、シート脚部４の前後移動に渡り受け部品２０、渡り部品１０を介してスライダ９を連動させることができる。
【００２３】
前記渡り部品１０を渡り受け部品０に組みつける時、渡り部品１０はハーネスレール７に嵌合しているスライダ９に被せた状態である。よって、渡り部品１０の支軸１１を案内受け部２０ｄの円弧受面２０ｅの上部に接触させた時、図８（Ａ）に示すように、支軸１１が収容部１０ａより上方に位置し、渡り部品１０は傾斜姿勢となる。この傾斜姿勢から、支軸１１を下降させて軸受凹部２０ｈに嵌合させた位置で図８（Ｂ）に示すように、渡り部品１０は上面が横向き水平姿勢となる。このように、取付時に渡り部品１０の姿勢を変える必要があるが、渡り部品１０の収容部１０ａ内でスライダ９の係止頭部９ｄを上下左右に隙間をあけて収容しているため、スライダ９の係止頭部９ｄに対して渡り部品１０の姿勢を変えて渡り受け部品２０に容易に取り付けることができる。
【００２４】
また、スライダ９の係止頭部９ｄに収容部１０ａを被せる渡り部品１０の位置は、ハーネスレール９へのスライダ９の嵌合状態によって、図８（Ｃ）に示すように、渡り部品１０の収容部１０ａの位置が高くなり、上下位置、左右位置に若干のズレが発生する場合がある。スライドシート１のシート脚部４に固定する渡り受け部品２０の位置も上下位置、左右位置に若干ずれる場合もある。いずれの場合も、渡り部品１０の収容部１０ａ内にスライダ９の係止頭部９ｄを隙間をあけて収容しているため、係止頭部９ｄに対して収容部１０ａを上下、左右に位置調整でき、前記渡り受け部品２０と渡り部品１０の固定位置のずれを吸収することができる。  
【００２５】
このように、スライドシート１のシート脚部４とスライダ９の連結は、フロアに固定したハーネスレール７に嵌合するスライダ９の係止頭部９ｄに渡り部品１０を被せた後、該渡り部品１０の支軸１１をシート脚部４に予め固定した渡り受け部品２０の軸受凹部２０ｈに上方から挿入するだけの作業で良いため、作業員１人が片手作業でできる程度の非常に簡単な作業となり、かつ、大きな作業スペースを必要としない。
【００２６】
前記のように、スライダ９を渡り部品１０と渡り受け部品２０を介してシート脚部４に連結しているため、スライドシート１の前後移動にスライド９は連動してハーネスレール７内を前後移動する。具体的には、図３（Ａ）はスライドシート１が前方位置にある場合を示し、図３（Ｂ）はスライドシート１が後方位置にある場合を示す。スライドシート１を前方から後方へとスライドさせていくと、余長収容ケース８内に収容されていたワイヤハーネス３が余長収容ケース８の前端側で屈曲しながら余長収容ケース８に連続するハーネスレール７のハーネス挿通部７ａへと挿入されていくと共に、余長収容ケース８内の後端側の屈曲部が前方に移動する。一方、スライドシート１が後方から前方へスライドすると、余長収容ケース８内の後方の屈曲部が後方に移動すると共に、ハーネスレール７のハーネス挿通部７ａに挿通されていたワイヤハーネス３が余長収容ケース８内へと引き込まれ余長部として収容される。
【００２７】
本発明は前記実施形態に限定されず、電線余長ケースの形状を代える等、本発明の要旨を越えない範囲で種々の変形を加えることができる。
【符号の説明】
【００２８】
１  スライドシート
２  フロア
３  ワイヤハーネス
４  シート脚部
６  シートレール
７  ハーネスレール
７ａ  ハーネス挿通部
７ｂ  スライダ摺動部
８  余長収容ケース
９  スライダ
９ｂ  電線引出枠
９ｄ  係止頭部
１０  渡り部品
１０ａ  収容部
１１  支軸
２０  渡り受け部品
２０ｈ  軸受凹部
【図１】
2014227050.tif 000003
【図２】
2014227050.tif 000004
【図３】
2014227050.tif 000005
【図４】
2014227050.tif 000006
【図５】
2014227050.tif 000007
【図６】
2014227050.tif 000008
【図７】
2014227050.tif 000009
【図８】
2014227050.tif 000010
【図９】
2014227050.tif 000011